(57)【要約】【課題】共振周波数が異なる複数種の対向機に対しＮｕｌｌ現象を生じることなく無線通信を可能とするアンテナ装置及びそれを備えた携帯無線機を提供すること。【解決手段】本発明のアンテナ装置は、誘導結合による無線通信を行うアンテナ装置であって、ループアンテナと、前記ループアンテナに接続され、前記誘導結合による無線通信を行うための通信回路部と、前記ループアンテナの内側または外側に、開閉可能なスイッチを介してループ状に配置された金属板と、前記ループアンテナで受信する無線信号の受信レベルを検出する検波器と、を備え、前記通信回路部は、前記検波器により検出した前記無線信号の受信レベルに応じて前記スイッチの開閉を制御することで、前記金属板の状態を閉じたループ状態と閉じていない非ループ状態とにする。【選択図】図１
2011015005.tif 000002
【特許請求の範囲】
【請求項１】
誘導結合による無線通信を行うアンテナ装置であって、
ループアンテナと、
前記ループアンテナに接続され、前記誘導結合による無線通信を行うための通信回路部と、
前記ループアンテナの内側または外側に、開閉可能なスイッチを介してループ状に配置された金属板と、
前記ループアンテナで受信する無線信号の受信レベルを検出する検波器と、を備え、
前記通信回路部は、前記検波器により検出した前記無線信号の受信レベルに応じて前記スイッチの開閉を制御することで、前記金属板の状態を閉じたループ状態と閉じていない非ループ状態とにするアンテナ装置。
【請求項２】
請求項１に記載のアンテナ装置であって、
前記金属板が前記ループアンテナと同一平面上に配置されるアンテナ装置。
【請求項３】
請求項１又は請求項２に記載のアンテナ装置であって、
前記金属板がリーダライタ用アンテナであるアンテナ装置。
【請求項４】
請求項１〜３のいずれか１項に記載のアンテナ装置を備えた携帯無線機。
【発明の詳細な説明】
【技術分野】
【０００１】
本発明は、ＲＦＩＤシステムのＩＣカード等の移動機に使用されるアンテナ装置、およびそれを備えた携帯無線機に関する。
【背景技術】
【０００２】
ＲＦＩＤ（Ｒａｄｉｏ  Ｆｒｅｑｕｅｎｃｙ  ＩＤｅｎｔｉｆｉｃａｔｉｏｎ）システムは、一般に電子マネー等で使用されている。ＲＦＩＤカードやＲＦＩＤ内蔵機器として機能する移動機と、店舗等に置かれる固定機である対向機（リーダライタ（Ｒ／Ｗ））との通信は、誘導結合による無線通信で行われる。誘導結合による無線通信方式は、移動機と対向機のアンテナ間の結合度が強い範囲でしか通信を行えず、通信距離は１ｍ程度と短い。また、対向機の送信電力が大きい場合、移動機と対向機とが極めて接近した状態では、移動機の通信回路部に入力される信号振幅が極めて大きくなる。
【０００３】
図７に、従来のＲＦＩＤシステムのブロック図を示す。対向機３０のアンテナ３１から送信された電波を移動機４０のアンテナ４１で電磁誘導による結合により受信し、受信信号がアンテナ回路部４２（ＬＣ共振回路部）を経て通信回路部４３へ入力される。この通信回路部４３への受信信号の信号振幅が大きいと、通信回路部４３の制御用ＩＣ内のトランジスタの耐電圧定格を超えるために、通信回路部４３が破壊してしまう。このため、アンテナ回路部４２と通信回路部４３との間にクリッピング回路４４を付加して、通信回路部４３へ入力される受信信号の信号振幅を制限している。
【０００４】
クリッピング回路４４は例えばダイオードを使用して実現されており、図８に示すような電圧−電流特性を示す。クリッピング回路４４の入力電圧値が大きいと、出力電流が急激に増加し、クリッピング回路４４の抵抗値が減少するため、通信回路部４４への入力電圧を低くすることができる。
【０００５】
ところで、ＲＦＩＤシステムにおいては、移動機４０のアンテナ回路部４２に設けられた負荷変調スイッチ４５のオン／オフにより、アンテナ回路部４２の抵抗値変化により電流値を変えて、アンテナ４１に電磁誘導の差分を作り出すことで、移動機４０から対向機３０への通信を行っている。このため、クリッピング回路４４の抵抗値が低くなると、スイッチ４５のオン／オフによるアンテナ回路部４２の抵抗値変化が小さくなり、電磁誘導の差分が小さくなるため、移動機４０からの送信電波を対向機３０で正常に受信できなくなる。すなわち、移動機４０と対向機３０とが接近した状態で通信ができなくなるＮｕｌｌ現象が発生する。
【０００６】
従来、Ｎｕｌｌ現象を回避する方法として、移動機のＩＣ制御部に複数のキャパシタ（コンデンサ）及び電圧検出部を構成し、アンテナで受信した受信信号の整流・平滑後の受信電圧レベルを電圧検出部で検出して、検出した受信電圧レベルによりキャパシタを切り換えることにより、アンテナの利得を低くするものが提案されている（例えば特許文献１を参照）。図９に、図７に示す従来の移動機の等価回路を示す。
【先行技術文献】
【特許文献】
【０００７】
【特許文献１】特開２００５−０１１００９号公報
【発明の概要】
【発明が解決しようとする課題】
【０００８】
しかしながら、一般にＲＩＤＦ対向機は複数種類あり、対向機によっては共振周波数が異なる。図９に示すように、移動機４０のアンテナ４１からの受信信号のクリッピング回路４４を経た受信電圧レベルを検波器４６で検出して、アンテナ回路部４２のキャパシタ４８を切り換える場合、移動機４０の共振周波数が切り換わる。このように移動機４０の共振周波数が切り換わる場合、一部の周波数帯域においては信号振幅（利得）が小さくなるが、他の周波数帯域においては信号振幅が大きくなる。
【０００９】
図７に示す従来の移動機のキャパシタの切り換えによるＳ２１特性の変化を図１０に示す。図１０（ａ）は、対向機Ａに対する移動機のＳ２１特性を示し、図１０（ｂ）は、対向機Ａとは異なる対向機Ｂに対する移動機のＳ２１特性を示す。移動機のＳ２１特性は、対向機の通信回路部の出力端（アンテナへの入力端）と、移動機の通信回路部の入力端（移動機の検波器の出力端）との間の電力利得の周波数応答特性である。移動機のキャパシタの切り換わりにより、図１０（ａ）に示すように対向機Ａに対しては移動機の利得が下がる、一方、図１０（ｂ）に示すように、対向機Ｂに対しては移動機の利得が上がる。すなわち、従来の移動機では、複数種類の対向機全てに対してＮｕｌｌ現象を抑制することはできない。
【００１０】
本発明の目的は、共振周波数が異なる複数種の対向機に対しＮｕｌｌ現象を生じることなく、無線信号を送受信可能なアンテナ装置およびそれを備えた携帯無線機を提供することである。
【課題を解決するための手段】
【００１１】
本発明のアンテナ装置は、誘導結合による無線通信を行うアンテナ装置であって、ループアンテナと、前記ループアンテナに接続され、前記誘導結合による無線通信を行うための通信回路部と、前記ループアンテナの内側または外側に、開閉可能なスイッチを介してループ状に配置された金属板と、前記ループアンテナで受信する無線信号の受信レベルを検出する検波器と、を備え、前記通信回路部は、前記検波器により検出した前記無線信号の受信レベルに応じて前記スイッチの開閉を制御することで、前記金属板の状態を閉じたループ状態と閉じていない非ループ状態とにする。
【００１２】
上記アンテナ装置では、前記金属板が前記ループアンテナと同一平面上に配置される。
【００１３】
上記アンテナ装置は、前記金属板がリーダライタ用アンテナである。
【００１４】
また、上記アンテナ装置は、携帯無線機に備えられている。
【発明の効果】
【００１５】
本発明に係るアンテナ装置及びそれを備えた携帯無線機によれば、ＲＦＩＤシステム等の対向機に対し近接した状態でも、共振周波数が異なる複数種の対向機に対しＮｕｌｌ現象を生じることなく、無線通信することができる。
【図面の簡単な説明】
【００１６】
【図１】本発明の実施の形態１に係るアンテナ装置１を示す平面図
【図２】図１に示すアンテナ装置１を設置した移動機の等価回路図
【図３】図１に示すアンテナ装置１のＳ２１特性の変化を示す図
【図４】本発明の実施の形態２に係るアンテナ装置１Ａを示す平面図
【図５】本発明の実施の形態３に係るアンテナ装置１Ｂを示す平面図
【図６】図５に示すアンテナ装置１Ｂを設置した移動機の等価回路を示す図
【図７】従来のＲＦＩＤシステムを示すブロック図
【図８】図７に示すＲＦＩＤシステムの移動機のクリッピング回路を構成するダイオードの電圧−電流特性図
【図９】図７に示す従来の移動機の等価回路図
【図１０】（ａ）対向機Ａに対する従来の移動機のＳ２１特性を示す図、（ｂ）対向機Ａとは異なる対向機Ｂに対する従来の移動機のＳ２１特性を示す図
【発明を実施するための形態】
【００１７】
以下、本発明の実施形態について、図面を参照して説明する。
【００１８】
（実施の形態１）
図１〜図３を参照して、本発明の実施の形態１に係るアンテナ装置について説明する。図１は、本発明の実施の形態１に係るアンテナ装置を示す平面図である。図１に示すアンテナ装置１は、ループアンテナ２と、金属板３と、金属板３に介挿されたスイッチ５とを備える。また、図１に示すように、通信回路部４は、アンテナ装置１のループアンテナ２に接続される。さらに、アンテナ装置１は、図２に示すように、スイッチ５を接続した検波器１２を備えている。
【００１９】
ループアンテナ２は、たとえばＲＦＩＤシステムの移動機のメインアンテナとして使用されるもので、この例では銅箔等による４ターンの矩形のループからなっている。ループアンテナ２の両端部２ａは、図上、矩形の下辺中央から金属板３の外側に引き出され、移動機の通信回路部４に接続される。
【００２０】
金属板３は、ループアンテナ２の利得を制御するための制御用アンテナとして使用される。図１に示すように、金属板３は、該ループアンテナ２の内側の周囲に沿って、ループアンテナと同一平面上にループ状に配置され、開放端３ａを有する一所で不連続なループに形成されている。金属板３は、銅箔等の２ターンの矩形のループで構成され、後述するスイッチの状態により、ループ状に閉じた状態であるループ状態と、開放端３ａで不連続であって、ループ状に完全には閉じていない非ループ状態との間を遷移する。
なお、金属板３の開放端３ａの位置は、ループ状に形成された金属板３のどの位置でも良い。
【００２１】
また、金属板３は、ループアンテナ２と実質的に同一平面上にあればよく、ループアンテナ２が構成する平面と同一平面上に位置する他、該平面から垂直方向に１〜２ｍｍ程度ずらせて配置することも可能である。金属板３の開放端３ａは、図上、矩形の下辺中央からループアンテナ２の外側に引き出され、引き出された開放端３ａの間に上記スイッチ５が介挿されている。
【００２２】
スイッチ５は、後述するが、通信回路部４の制御により、検波器１２で検出されたループアンテナ２の受信信号の受信レベルに応じて、開き状態と閉じ状態との間を遷移する。スイッチ５がＯＮとなりスイッチ５が閉じ状態のとき、金属板３の開放端３ａはスイッチを介して物理的に接続され、一方、スイッチ５がＯＦＦとなりスイッチ５が開き状態のとき、金属板３の開放端３ａは物理的に切り離されている。そのため、スイッチ５が閉じ状態のとき、金属板３の開放端３ａはスイッチ５を介して電気的に接続されるが、スイッチ５が開き状態のとき、電気的に接続されていない。
【００２３】
スイッチ５が閉じ状態のとき、スイッチ５は金属板３の開放端３ａを電気的に接続し、金属板３は、ループ状に閉じた状態であるループ状態となる。一方、スイッチ５が開き状態のとき、スイッチ５は、金属板３の開放端３ａを電気的に接続しないので、金属板３は開放端３ａで不連続な非ループ状態となる。
【００２４】
図２は、図１に示すアンテナ装置１を設置した移動機の等価回路示す。移動機１０は、ＲＦＩＤカードやＲＦＩＤ内蔵機器である携帯無線機であり、携帯電話機等も含まれる。移動機１０は、ループアンテナ２と、該アンテナ２のキャパシタ７（静電容量）とからアンテナ回路部（ＬＣ共振回路部）８を構成している。アンテナ回路部８の一端には、制流用ダイオード９、１５が並列接続され、一方のダイオード９に、クリッピング回路１１、検波器１２、コンパレータ１３がこの順で直列に接続されている。他方のダイオード１５には、負荷変調回路１４が接続されている。アンテナ回路部８の他端は接地（ＧＮＤ）されている。検波器１２の出力側にスイッチ５が接続されている。スイッチ５は、通信回路部４によって制御され、ループアンテナ２を介して受信した信号の受信レベルである検波器１２の出力電圧の高低（振幅の大小）に応じて、オン／オフする。
【００２５】
移動機１０は、図示しない対向機からの通信電波をループアンテナ２で受信し、アンテナ部８のＬＣ共振回路で選択した共振周波数の受信信号をダイオード９で整流する。そして、移動機１０は、クリッピング回路１１を経た受信信号の電圧を検波器１２で検波し、検波器１２の出力信号をコンパレータ１３でＲＥＦ信号を基準にデジタル信号に変換し、通信回路部４の制御部（図示せず）で受信データの解読等の処理をする。一方、通信回路部４の制御部からの送信データ信号により、負荷変調回路１４の抵抗値変化で電流値を変えて、ループアンテナ２に誘導電圧の差分を作り出すことで、移動機１０から対向機への通信を行う。
【００２６】
図３に、スイッチ５の切り換えによるアンテナ装置１のＳ２１特性の違いを示す。図３の縦軸は、Ｓ２１特性を示し、図３の横軸は周波数[ＭＨｚ]を示す。図３に示すように、金属板３が、ループアンテナ２の内側の周囲において、開放端３ａで不連続となる非ループ状態のとき、アンテナ装置１のＳ２１特性は周波数によって下がることはなく、全周波数帯域で利得が高くなる。そのため、共振周波数が異なる複数種の対向機に対しても、アンテナ装置１を移動機のアンテナ部に適用することができる。
【００２７】
一方、スイッチ５をオンにしてスイッチ５を閉じ状態にすることで、ループアンテナ２の内側の周囲で、金属板３がループ状に完全に閉じたループ状態の場合、図３に示すようにアンテナ装置１の利得は、全周波数帯域に渡って低下する。したがって、アンテナ装置１で誘導結合による無線通信を行う場合、たとえば、検波器１２で検出したループアンテナ２の受信レベルが一定値上に高い（振幅が大きい）と、通信回路部４の制御により、スイッチ５をオンにしてループアンテナ２の内側の周囲で金属板３がループ状に完全に閉じたループ状態となり、アンテナ装置１の利得を全周波数帯域に渡って低下できる。そのため、対向機のアンテナ部に対して移動機１０のアンテナ部に本実施の形態のアンテナ装置１を適用し、移動機１０を対向機から近い距離で使用しても、Ｎｕｌｌ現象を起こすことなく通信することができる。
【００２８】
実施の形態１に係るアンテナ装置１によれば、アンテナ装置１で誘導結合による無線通信を行う場合、検波器１２で検出したループアンテナ２の受信レベルに応じて、通信回路部４の制御によりスイッチ５をオフにして、ループアンテナ２の内側の周囲で金属板３が開放端３ａで不連続な非ループ状態のとき、アンテナ装置１のＳ２１特性は全周波数帯域で利得を高くすることができる。そのため、共振周波数が異なる複数種の対向機に対しても、アンテナ装置１を移動機のアンテナ部に適用することができる。
【００２９】
また、実施の形態１に係るアンテナ装置１によれば、アンテナ装置１で誘導結合による無線通信を行う場合、たとえば、検波器１２で検出したループアンテナ２の受信レベルが一定値上に高い（振幅が大きい）場合、通信回路部４の制御により、スイッチ５をオンにして金属板３とスイッチ５とがループアンテナ２の内側の周囲でループ状に完全に閉じた状態のとき、アンテナ装置１の利得を全周波数帯域に渡って低下できる。そのため、対向機のアンテナ部に対して移動機１０のアンテナ部に本実施の形態のアンテナ装置１を適用し、移動機１０を対向機から近い距離で使用しても、Ｎｕｌｌ現象を起こすことなく通信することができる。
【００３０】
（実施の形態２）
次に、図４を参照して、本発明の実施の形態２に係るアンテナ装置１Ａについて説明する。図４は、本発明の実施の形態２に係るアンテナ装置１Ａを示す平面図である。図４に示すアンテナ装置１Ａは、ループアンテナ２と、該ループアンテナ２の外側にループ状に配置された金属板６とを備えている。また、図４に示すように、通信回路部４は、アンテナ装置１Ａのループアンテナ２に接続される。さらに、アンテナ装置１Ａは、実施の形態１のアンテナ装置１と同様、スイッチ５を接続した検波器１２を備えている。以下、図１に示すアンテナ装置１と同じ構成には同一符号を付記し、その詳細な説明を省略する。
【００３１】
金属板６は、ループアンテナ２の利得を制御するための制御用アンテナとして使用される。図４に示すように、金属板６は、該ループアンテナ２の外側の周囲に沿って、ループアンテナと同一平面上にループ状に配置され、開放端６ａを有する一所で不連続なループに形成されている。金属板６は、銅箔等の２ターンの矩形のループで構成され、後述するスイッチ５の状態により、ループ状に完全に閉じた状態であるループ状態と、開放端３ａで不連続であって、ループ状に完全には閉じていない非ループ状態との間を遷移する。
【００３２】
また、金属板６は、ループアンテナ２と実質的に同一平面上にあればよく、ループアンテナ２が構成する平面と同一平面上に位置する他、該平面から垂直方向に１〜２ｍｍ程度ずらせて配置することも可能である。金属板６の開放端６ａの間にはスイッチ５が介挿され、スイッチ５は、図４の検波器１２の出力側に接続されている。
【００３３】
スイッチ５は、後述するが、通信回路部４の制御により、検波器１２で検出されたループアンテナ２の受信信号の受信レベルに応じて、開き状態と閉じ状態との間を遷移する。スイッチ５がＯＮとなりスイッチ５が閉じ状態のとき、金属板６の開放端６ａはスイッチを介して物理的に接続され、一方、スイッチ５がＯＦＦとなりスイッチ５が開き状態のとき、金属板６の開放端６ａは物理的に切り離されている。そのため、スイッチ５が閉じ状態のとき、金属板６の開放端６ａはスイッチ５を介して電気的に接続されるが、スイッチ５が開き状態のとき、電気的に接続されていない。
【００３４】
スイッチ５が閉じ状態のとき、スイッチ５は金属板６の開放端６ａを電気的に接続し、金属板６は、ループ状に閉じた状態であるループ状態となる。一方、スイッチ６が開き状態のとき、スイッチ５は、金属板６の開放端６ａを電気的に接続しないので、金属板６は開放端６ａで不連続な非ループ状態となる。
【００３５】
実施の形態２に係るアンテナ装置１Ａによれば、実施の形態１と同様、アンテナ装置１Ａで誘導結合による無線通信を行う場合、検波器１２で検出したループアンテナ２の受信レベルに応じて、通信回路部４の制御によりスイッチ５をオフにして、ループアンテナ２の外側の周囲で金属板６が開放端６ａで不連続な非ループ状態のとき、アンテナ装置１ＡのＳ２１特性は全周波数帯域で利得を高くすることができる。そのため、共振周波数が異なる複数種の対向機に対しても、アンテナ装置１を移動機のアンテナ部に適用することができる。
【００３６】
また、実施の形態２に係るアンテナ装置１Ａによれば、実施の形態１と同様、アンテナ装置１Ａで誘導結合による無線通信を行う場合、たとえば、検波器１２で検出したループアンテナ２の受信レベルが一定値上に高い（振幅が大きい）場合、通信回路部４の制御により、スイッチ５をオンにして、金属板６がスイッチ５によりループアンテナ２の外側の周囲でループ状に完全に閉じた状態のとき、アンテナ装置１Ａの利得を全周波数帯域に渡って低下できる。そのため、対向機のアンテナ部に対して移動機１０のアンテナ部に本実施の形態のアンテナ装置１Ａを適用し、移動機１０を対向機から近い距離で使用しても、Ｎｕｌｌ現象を起こすことなく通信することができる。
【００３７】
また、本実施形態のアンテナ装置１Ａのように、ループアンテナ２の外側に金属板６をループ状に配置した方が、実施の形態１に係るアンテナ装置１のように、ループアンテナ２の内側に金属板３をループ状に配置するよりも、移動機２のＳ２１特性を下げる効果が大きい。
【００３８】
（実施の形態３）
ところで、上記各実施の形態に係るアンテナ装置１（１Ａ）において、金属板３（金属板６）およびスイッチ５は、ループ状の導体となる。したがって、金属板３（金属板６）およびスイッチ５は、アンテナ素子として機能させることができる。言い換えると、上記各実施の形態に係るアンテナ装置１（１Ａ）は、ループアンテナ２の他に、金属板３（金属板６）とスイッチ５とから構成されるループ状のアンテナを備える。そのため、ＲＦＩＤシステムのリーダライタ機能を持たせた移動機に、本発明のアンテナ装置を適用することができる。この場合、本発明のアンテナ装置の金属板３（金属板６）は、対向機のアンテナとの誘導結合により、対向機と無線信号を送受信するためのアンテナとして機能する。
【００３９】
ここで、図５、６を参照して、本発明の実施の形態３に係るアンテナ装置として、本発明の金属板が、対向機のアンテナとの誘導結合により、対向機と無線信号を送受信するためのアンテナとして機能する場合について説明する。図５は、本発明の第３の実施の形態に係るアンテナ装置１Ｂを示す平面図である。図６は、アンテナ装置１Ｂを設置したリーダライタ機能を有する移動機２０の等価回路を示す図である。
【００４０】
図５に示すアンテナ装置１Ｂは、図１のアンテナ装置１と同様、ループアンテナ２の内側に２ターンの金属板３が配置され、金属板３に介挿されたスイッチ５が検波器１２の出力側に接続されている。本実施の形態では、そのスイッチ５に移動機のリーダライタ部（Ｒ／Ｗ部）１６を接続する。その他の構成は、図１のアンテナ装置１の構成と同じである。
【００４１】
図６に示す移動機２０は、リーダライタ機能を有している。移動機２０は、アンテナ装置１Ｂのメインアンテナのループアンテナ２を用いた通信時には、金属板３による制御アンテナを使用しない。そして、通信回路部４が、検波器１２で検出したループアンテナ２の受信レベルが一定上以上に高くなると判定した場合、スイッチ５をオンに制御することで、ループアンテナ２の内側の周囲で金属板３がスイッチ５によりループ状に完全に閉じたループ状態にし、ループアンテナ２のＳ２１特性を下げる。これにより、Ｎｕｌｌ現象を生じることなく、スイッチ５をオンして金属板３をループ状態にすることにより、アンテナ装置１Ｂの利得を全周波数帯域に渡って低下することができる。また、移動機２０がリーダライタ機能により対向機と通信する場合、検波器１２の出力によりスイッチ５をオフにし、金属板３を非ループ状態に切り換えて、金属板３をリーダライタ用のアンテナとして使用する。
【００４２】
本実施の形態に係るアンテナ装置１Ｂによれば、金属板３をリーダライタ用のアンテナとループアンテナ２の受信レベル制御用の素子とに兼用できるので、移動機２０を小型化、低コスト化することができる。
【００４３】
また、本実施の形態に係るアンテナ装置１Ｂによれば、実施の形態１と同様、アンテナ装置１Ｂで誘導結合による無線通信を行う場合、検波器１２で検出したループアンテナ２の受信レベルに応じて、通信回路部４は、スイッチ５をオフに制御して、ループアンテナ２の内側の周囲で金属板３が開放端３ａで不連続な非ループ状態となる。そのため、アンテナ装置１ＢのＳ２１特性は全周波数帯域で利得を高くすることができる。したがって、共振周波数が異なる複数種の対向機に対しても、アンテナ装置１Ｂを移動機１０のアンテナ部に適用することができる。
【００４４】
また、本実施の形態に係るアンテナ装置１Ｂによれば、実施の形態１と同様、アンテナ装置１Ｂで誘導結合による無線通信を行う場合、たとえば、検波器１２で検出したループアンテナ２の受信レベルが一定値上に高い（振幅が大きい）場合、通信回路部４は、スイッチ５をオンに制御することで、ループアンテナ２の内側の周囲で金属板３がスイッチ５によりループ状に完全に閉じたループ状態にし、アンテナ装置１の利得を全周波数帯域に渡って低下できる。そのため、対向機のアンテナ部に対して移動機１０のアンテナ部に本実施の形態のアンテナ装置１Ｂを適用し、移動機１０を対向機から近い距離で使用しても、Ｎｕｌｌ現象を起こすことなく通信することができる。
【産業上の利用可能性】
【００４５】
本発明に係るアンテナ装置及びそれを備えた携帯無線機は、移動機が対向機に対し近接した状態でも、共振周波数が異なる複数種の対向機に対しＮｕｌｌ現象を生じることなく、無線通信することが可能となるという効果を有し、携帯電話機等として有用である。
【符号の説明】
【００４６】
１、１Ａ、１Ｂ  アンテナ装置
２          ループアンテナ
３、６      金属板
３ａ、６ａ  開放端
４          通信回路部
５          スイッチ
１０、２０  移動機
１２        検波器
１６        Ｒ／Ｗ部
【図１】
2011015005.tif 000003
【図２】
2011015005.tif 000004
【図３】
2011015005.tif 000005
【図４】
2011015005.tif 000006
【図５】
2011015005.tif 000007
【図６】
2011015005.tif 000008
【図７】
2011015005.tif 000009
【図８】
2011015005.tif 000010
【図９】
2011015005.tif 000011
【図１０】
2011015005.tif 000012